(57)【要約】【課題】入賞装置への入賞率が異なる複数の球出口を設け、複数の球出口のうち何れの球出口から排出し易くさせるか（各入賞口への排出割合）を調整可能とし、球出口から入賞装置に入賞する遊技球の割合を調整することができる弾球遊技機を提供する。【解決手段】遊技球の前記入賞装置への入球率を異として前記入賞装置側に排出する第１の球出口５０，５０Ａと第２の球出口５１を構成し、第１の誘導路６０，６０Ａ、第２の誘導路６１、第１の誘導駆動部材７０，７０Ａ及び第２の誘導駆動部材８０，８０Ａとを備え、第１の誘導駆動部材７０，７０Ａが遊技球を第１の誘導路６０，６０Ａへ誘導可能とする誘導可能状態となるときと第２の誘導駆動部材８０，８０Ａが第１の誘導駆動部材７０，７０Ａにより第１の誘導路６０，６０Ａに誘導された遊技球を前記第２の誘導路６１へ誘導可能とする誘導可能状態となるときのタイミングを切換設定する切換設定手段を設ける。【選択図】図２
2005185653.tif 000002
【特許請求の範囲】
【請求項１】
遊技球が打ち込まれる遊技領域を形成した遊技盤と、
前記遊技領域を流下する遊技球が入賞可能な入賞装置とを備え、
前記入賞装置の上方に設けられ、遊技球の前記入賞装置への入球率を各々異として前記入賞装置側に排出する第１の球出口と第２の球出口が少なくとも構成されると共に、前記第１の球出口へ遊技球を導く第１の誘導路と前記第２の球出口へ遊技球を導く第２の誘導路が構成された弾球遊技機において、
前記第１の誘導路手前側に設けられ、遊技球を前記第１の誘導路へ誘導可能とする誘導可能状態と誘導不可能とする誘導不可能状態とに設定間隔毎に変化する第１の誘導駆動部材と、
前記第１の誘導路と前記第２の誘導路との間に設けられ、第１の誘導駆動部材により前記第１の誘導路に誘導された遊技球を前記第２の誘導路へ誘導可能とする誘導可能状態と不可能とする誘導不可能状態とに設定間隔毎に変化する第２の誘導駆動部材とを備え、
前記第１の誘導駆動部材が誘導可能状態となるときと前記第２の誘導駆動部材が誘導可能状態となるときのタイミングが第１のタイミングである場合には、第１の誘導駆動部材により前記第１の誘導路に誘導された遊技球を前記第１の誘導路から前記第１の球出口に到達する前に前記第２の誘導駆動部材により前記第２の誘導路へ誘導することが可能となる一方、前記第１の誘導駆動部材が誘導可能状態となるときと前記第２の誘導駆動部材が誘導可能状態となるときのタイミングが第１のタイミングとは異なる第２のタイミングであった場合には、第１の誘導駆動部材により前記第１の誘導路に誘導された遊技球を前記第１の誘導路から前記第１の球出口に到達する前に前記第２の誘導駆動部材により前記第２の誘導路へ誘導することが困難あるいは不可能となるように構成されるとともに、
前記第１の誘導駆動部材が誘導可能状態となるときと前記第２の誘導駆動部材が誘導可能状態となるときのタイミングを前記第１のタイミングと第２のタイミングの何れかに切換設定する切換設定手段を設けたことを特徴とする弾球遊技機。
【請求項２】
遊技領域が形成され、遊技球が打ち込まれる遊技盤と、
前記遊技領域を流下する遊技球が入賞可能な入賞装置とを備え、
前記入賞装置の上方に設けられ、遊技球の前記入賞装置への入球率を各々異として前記入賞装置側に直接排出する第１の球出口と第２の球出口が少なくとも構成された弾球遊技機において、
前記第１の球出口手前側に設けられ、遊技球を前記第１の球出口へ誘導可能とする誘導可能状態と誘導不可能とする誘導不可能状態とに設定間隔毎に変化する第１の誘導駆動部材と、
前記第１の球出口と前記第２の球出口との間に設けられ、第１の誘導駆動部材により前記第１の球出口に誘導された遊技球を前記第２の球出口へ誘導可能とする誘導可能状態と不可能とする誘導不可能状態とに設定間隔毎に変化する第２の誘導駆動部材とを備え、
前記第１の誘導駆動部材が誘導可能状態となるときと前記第２の誘導駆動部材が誘導可能状態となるときのタイミングが第１のタイミングである場合には、第１の誘導駆動部材により前記第１の球出口に誘導された遊技球を前記第１の球出口から排出される前に前記第２の誘導駆動部材により前記第２の球出口へ誘導することが可能となる一方、前記第１の誘導駆動部材が誘導可能状態となるときと前記第２の誘導駆動部材が誘導可能状態となるときのタイミングが第１のタイミングとは異なる第２のタイミングであった場合には、第１の誘導駆動部材により前記第１の球出口に誘導された遊技球を前記第１の球出口から排出される前に前記第２の誘導駆動部材により前記第２の球出口へ誘導することが困難あるいは不可能となるように構成されるとともに、
前記第１の誘導駆動部材が誘導可能状態となるときと前記第２の誘導駆動部材が誘導可能状態となるときのタイミングを前記第１のタイミングと第２のタイミングの何れかに切換設定する切換設定手段を備えたことを特徴とする弾球遊技機。
【請求項３】
前記第１の誘導駆動部材と前記第２の誘導駆動部材は共に電気的に常時駆動されていることを特徴とする請求項１又は２に記載の弾球遊技機。
【請求項４】
前記第１の誘導駆動部材及び前記第２の誘導駆動部材が遊技球を吸着可能な吸着部材を少なくとも一部に備えていることを特徴とする請求項１ないし３のいずれか１項に記載の弾球遊技機。
【請求項５】
前記第２の球出口から前記遊技領域へ流下する遊技球は前記第１の球出口から前記遊技領域へ流下する遊技球よりも前記入賞装置に入賞する可能性が高いことを特徴とする請求項１ないし４のいずれか１項に記載の弾球遊技機。
【請求項６】
前記第１の球出口と前記第２の球出口と異なる第３の球出口を構成するとともに、前記第３の球出口に遊技球を誘導する第３の誘導路を構成し、前記第１の誘導駆動部材は前記第３の誘導路と前記第１の誘導路との間に設けられていることを特徴とする請求項１及び３ないし５のいずれか１項に記載の弾球遊技機。
【請求項７】
前記第１の誘導駆動部材が前記第１の誘導路への誘導を不可能とするときに、前記第３の誘導路から第１の誘導駆動部材によって第１の誘導路に誘導されずに前記第３の球出口から前記遊技領域に排出されることを特徴とする請求項６に記載の弾球遊技機。
【請求項８】
前記第１の誘導駆動部材と前記第２の誘導駆動部材は一の駆動手段により共に駆動されると共に、前記一の駆動手段による駆動力を前記第１の誘導駆動部材及び前記第２の誘導駆動部材に伝達する複数の駆動力伝達手段を備えることを特徴とする請求項１ないし７のいずれか１項に記載の弾球遊技機。
【請求項９】
前記第１の誘導駆動部材又は前記第２の誘導駆動部材と前記駆動力伝達手段との間には、当該駆動力伝達手段に連動して前記第１の誘導駆動部材又は前記第２の誘導駆動部材を駆動させる連結部材が設けられ、前記連結部材には係合部が備えられると共に前記駆動力伝達手段には前記係合部と係合する被係合部が備えられることを特徴とする請求項８に記載の弾球遊技機。
【請求項１０】
前記駆動力伝達手段は前記被係合部を複数備え、前記切換設定手段は前記連結部材の係合部の係合位置を、前記駆動力伝達手段に備えられた前記複数の被係合部のいずれかを選択して係合させることを特徴とする請求項９に記載の弾球遊技機。
【請求項１１】
前記第１の誘導駆動部材及び前記第２の誘導駆動部材は各々異なる駆動手段により駆動されることを特徴とする請求項１ないし７のいずれか１項に記載の弾球遊技機。
【発明の詳細な説明】
【技術分野】
【０００１】
本発明は、パチンコ遊技機等の遊技機に関し、特に入賞装置への入賞率を調整可能とする弾球遊技機に関する。
【背景技術】
【０００２】
従来の一般的な弾球遊技機にあっては、弾発発射された遊技球が遊技領域を流下し、釘、風車等を介して流下方向が変化する。このようにして流下する遊技球の何れかは、前記遊技領域内に設けられた各種の入賞口あるいは入賞ゲート等の入賞装置に入賞（入球）又は通過し、当該遊技球の入賞が検出されることによって所定数の賞球が払い出される。前記入賞口（入賞装置）のうち、一般に始動入賞口と称される入賞口に遊技球が入賞（入球）すると、特別図柄と称される遊技の当否判定に係わる図柄の変動の契機となる。そして、当否判定の結果によって、賞球が払い出されやすい状態や、当否の確率が上昇する確率変動状態への移行等のより有利な賞価値を得ることができる。
【０００３】
そこで遊技者は、前記した有利な賞価値を得るために、前記始動入賞口への入賞に向けてハンドル等による遊技球の弾発操作を行い、遊技していた。ここで、遊技球が前記始動入賞口への入賞に至る過程において、例えば図２０にみられる役物からなる画像表示装置１５０が遊技領域に設けられ、この役物を介して遊技球を当該始動入賞口（入賞装置）側に誘導可能な構成としていた。すなわち、役物からなる画像表示装置１５０は、図示しない当該始動入賞口（入賞装置）の上方で遊技領域を流下する遊技球が通過可能な球通路１５１と、当該球通路１５１に遊技球を導く球入口１５２と、前記球通路１５１を通過した遊技球が前記始動入賞口（入賞装置）側に排出される球出口１５３が設けられている遊技通路部１５４とを備えている。前記遊技通路部１５４を設けることにより、遊技領域を流下する遊技球の転動状態に変化が生じ、遊技上の演出効果を高めていた。
【０００４】
ところで、弾球遊技機の種類毎に遊技通路部の球出口の構成はそれぞれ異なるものの、前記球出口から流下する遊技球の始動入賞口等の入賞装置に対する入賞の割合は、前記遊技通路部の構造によりほぼ定まっていた。そこで、遊技通路部に一対の回転体を備え、当該回転体に磁石を内包させ、球通路（ワープルート）を流下する遊技球を前記回転体の磁石を用いて引き寄せながら回転し、遊技盤側に遊技球を誘導するパチンコ機が提案されている（特許文献１参照。）。しかしながら、前記特許文献１のパチンコ機にあっては、一対の回転体の回転態様が一様であるため、球出口から排出される遊技球が入賞装置に入賞する割合はある程度一定に定まっていた。
【特許文献１】特開２０００−１４０２５０号公報
【発明の開示】
【発明が解決しようとする課題】
【０００５】
本発明は前記の点に鑑みなされたものであり、入賞装置への入賞率が異なる複数の球出口を設け、複数の球出口のうち何れの球出口から排出し易くさせるか（各入賞口への排出割合）を調整可能とし、球出口から入賞装置に入賞する遊技球の割合を調整することができる弾球遊技機を提供する。
【課題を解決するための手段】
【０００６】
すなわち、請求項１の発明は、遊技球が打ち込まれる遊技領域を形成した遊技盤と、前記遊技領域を流下する遊技球が入賞可能な入賞装置とを備え、前記入賞装置の上方に設けられ、遊技球の前記入賞装置への入球率を各々異として前記入賞装置側に排出する第１の球出口と第２の球出口が少なくとも構成されると共に、前記第１の球出口へ遊技球を導く第１の誘導路と前記第２の球出口へ遊技球を導く第２の誘導路が構成された弾球遊技機において、前記第１の誘導路手前側に設けられ、遊技球を前記第１の誘導路へ誘導可能とする誘導可能状態と誘導不可能とする誘導不可能状態とに設定間隔毎に変化する第１の誘導駆動部材と、前記第１の誘導路と前記第２の誘導路との間に設けられ、第１の誘導駆動部材により前記第１の誘導路に誘導された遊技球を前記第２の誘導路へ誘導可能とする誘導可能状態と不可能とする誘導不可能状態とに設定間隔毎に変化する第２の誘導駆動部材とを備え、前記第１の誘導駆動部材が誘導可能状態となるときと前記第２の誘導駆動部材が誘導可能状態となるときのタイミングが第１のタイミングである場合には、第１の誘導駆動部材により前記第１の誘導路に誘導された遊技球を前記第１の誘導路から前記第１の球出口に到達する前に前記第２の誘導駆動部材により前記第２の誘導路へ誘導することが可能となる一方、前記第１の誘導駆動部材が誘導可能状態となるときと前記第２の誘導駆動部材が誘導可能状態となるときのタイミングが第１のタイミングとは異なる第２のタイミングであった場合には、第１の誘導駆動部材により前記第１の誘導路に誘導された遊技球を前記第１の誘導路から前記第１の球出口に到達する前に前記第２の誘導駆動部材により前記第２の誘導路へ誘導することが困難あるいは不可能となるように構成されるとともに、前記第１の誘導駆動部材が誘導可能状態となるときと前記第２の誘導駆動部材が誘導可能状態となるときのタイミングを前記第１のタイミングと第２のタイミングの何れかに切換設定する切換設定手段を設けたことを特徴とする弾球遊技機に係る。
【０００７】
請求項２の発明は、遊技領域が形成され、遊技球が打ち込まれる遊技盤と、前記遊技領域を流下する遊技球が入賞可能な入賞装置とを備え、前記入賞装置の上方に設けられ、遊技球の前記入賞装置への入球率を各々異として前記入賞装置側に直接排出する第１の球出口と第２の球出口が少なくとも構成された弾球遊技機において、前記第１の球出口手前側に設けられ、遊技球を前記第１の球出口へ誘導可能とする誘導可能状態と誘導不可能とする誘導不可能状態とに設定間隔毎に変化する第１の誘導駆動部材と、前記第１の球出口と前記第２の球出口との間に設けられ、第１の誘導駆動部材により前記第１の球出口に誘導された遊技球を前記第２の球出口へ誘導可能とする誘導可能状態と不可能とする誘導不可能状態とに設定間隔毎に変化する第２の誘導駆動部材とを備え、前記第１の誘導駆動部材が誘導可能状態となるときと前記第２の誘導駆動部材が誘導可能状態となるときのタイミングが第１のタイミングである場合には、第１の誘導駆動部材により前記第１の球出口に誘導された遊技球を前記第１の球出口から排出される前に前記第２の誘導駆動部材により前記第２の球出口へ誘導することが可能となる一方、前記第１の誘導駆動部材が誘導可能状態となるときと前記第２の誘導駆動部材が誘導可能状態となるときのタイミングが第１のタイミングとは異なる第２のタイミングであった場合には、第１の誘導駆動部材により前記第１の球出口に誘導された遊技球を前記第１の球出口から排出される前に前記第２の誘導駆動部材により前記第２の球出口へ誘導することが困難あるいは不可能となるように構成されるとともに、前記第１の誘導駆動部材が誘導可能状態となるときと前記第２の誘導駆動部材が誘導可能状態となるときのタイミングを前記第１のタイミングと第２のタイミングの何れかに切換設定する切換設定手段を備えたことを特徴とする弾球遊技機に係る。
【０００８】
請求項３の発明は、前記第１の誘導駆動部材と前記第２の誘導駆動部材は共に電気的に常時駆動されていることを特徴とする請求項１又は２に記載の弾球遊技機に係る。
【０００９】
請求項４の発明は、前記第１の誘導駆動部材及び前記第２の誘導駆動部材が遊技球を吸着可能な吸着部材を少なくとも一部に備えていることを特徴とする請求項１ないし３のいずれか１項に記載の弾球遊技機に係る。
【００１０】
請求項５の発明は、前記第２の球出口から前記遊技領域へ流下する遊技球は前記第１の球出口から前記遊技領域へ流下する遊技球よりも前記入賞装置に入賞する可能性が高いことを特徴とする請求項１ないし４のいずれか１項に記載の弾球遊技機に係る。
【００１１】
請求項６の発明は、前記第１の球出口と前記第２の球出口と異なる第３の球出口を構成するとともに、前記第３の球出口に遊技球を誘導する第３の誘導路を構成し、前記第１の誘導駆動部材は前記第３の誘導路と前記第１の誘導路との間に設けられていることを特徴とする請求項１及び３ないし５のいずれか１項に記載の弾球遊技機に係る。
【００１２】
請求項７の発明は、前記第１の誘導駆動部材が前記第１の誘導路への誘導を不可能とするときに、前記第３の誘導路から第１の誘導駆動部材によって第１の誘導路に誘導されずに前記第３の球出口から前記遊技領域に排出されることを特徴とする請求項６に記載の弾球遊技機に係る。
【００１３】
請求項８の発明は、前記第１の誘導駆動部材と前記第２の誘導駆動部材は一の駆動手段により共に駆動されると共に、前記一の駆動手段による駆動力を前記第１の誘導駆動部材及び前記第２の誘導駆動部材に伝達する複数の駆動力伝達手段を備えることを特徴とする請求項１ないし７のいずれか１項に記載の弾球遊技機に係る。
【００１４】
請求項９の発明は、前記第１の誘導駆動部材又は前記第２の誘導駆動部材と前記駆動力伝達手段との間には、当該駆動力伝達手段に連動して前記第１の誘導駆動部材又は前記第２の誘導駆動部材を駆動させる連結部材が設けられ、前記連結部材には係合部が備えられると共に前記駆動力伝達手段には前記係合部と係合する被係合部が備えられることを特徴とする請求項８に記載の弾球遊技機に係る。
【００１５】
請求項１０の発明は、前記駆動力伝達手段は前記被係合部を複数備え、前記切換設定手段は前記連結部材の係合部の係合位置を、前記駆動力伝達手段に備えられた前記複数の被係合部のいずれかを選択して係合させることを特徴とする請求項９に記載の弾球遊技機に係る。
【００１６】
請求項１１の発明は、前記第１の誘導駆動部材及び前記第２の誘導駆動部材は各々異なる駆動手段により駆動されることを特徴とする請求項１ないし７のいずれか１項に記載の弾球遊技機に係る。
【発明の効果】
【００１７】
請求項１及び請求項２の発明に係る弾球遊技機によると、第１の誘導駆動部材が誘導可能状態となるときと第２の誘導駆動部材が誘導可能状態となるときのタイミングを第１のタイミングと第２のタイミングの何れかに切換設定する切換設定手段を備え、当該切換設定手段により第１のタイミング或いは第２のタイミングに切り換えることにより、入賞装置への入賞率が各々異なる第１の球出口及び第２の球出口から排出される遊技球の割合を調整することができ、第１の球出口及び第２の球出口から排出された遊技球の入賞装置に入賞する割合を調整することが可能となる。
【００１８】
請求項３の発明に係る弾球遊技機によると、第１の誘導駆動部材と前記第２の誘導駆動部材は共に電気的に常時駆動されていることから、第１の誘導駆動部材と第２の誘導駆動部材との駆動を遊技中行わせることができ、遊技領域を流下する遊技球の誘導状態を変化させることが可能となる。
【００１９】
請求項４の発明に係る弾球遊技機によると、第１の誘導駆動部材及び第２の誘導駆動部材が遊技球を吸着可能な吸着部材を少なくとも一部に備えていることから、誘導駆動部材が吸着部材の吸着力により遊技球を吸着した状態で誘導することにより、遊技球を容易に入賞装置まで誘導することができる。
【００２０】
請求項５の発明に係る弾球遊技機によると、第２の球出口から遊技領域へ流下する遊技球は第１の球出口から遊技領域へ流下する遊技球よりも入賞装置に入賞する可能性が高くなる構成としているため、球出口に応じて入賞装置に入賞する遊技球の割合に変化を持たせ、さらなる興趣を付与することができる。
【００２１】
請求項６の発明に係る弾球遊技機によると、第１の球出口と第２の球出口と異なる第３の球出口を構成するとともに、第３の球出口に遊技球を誘導する第３の誘導路を構成し、第１の誘導駆動部材は第３の誘導路と第１の誘導路との間に設けられているため、第１の誘導路と第３の誘導路に第１の誘導駆動部材を介して遊技球を振り分けることができ、遊技球の誘導状態に変化をもたせることができる。
【００２２】
請求項７の発明に係る弾球遊技機によると、前記第１の誘導駆動部材が前記第１の誘導路への誘導を不可能とするときに、前記第３の誘導路から第１の誘導駆動部材によって第１の誘導路に誘導されずに前記第３の球出口から前記遊技領域に排出されるため、第１の誘導駆動部材を介して第１の球出口と第３の球出口に遊技球の誘導を分けることができ、入賞装置に入賞する遊技球の割合にさらに変化を持たせることができる。
【００２３】
請求項８の発明に係る弾球遊技機によると、第１の誘導駆動部材と第２の誘導駆動部材は一の駆動手段により共に駆動されると共に、一の駆動手段による駆動力を第１の誘導駆動部材及び第２の誘導駆動部材に伝達する複数の駆動力伝達手段を備えることから、第１の誘導駆動部材と第２の誘導駆動部材とを連動させて駆動させることが可能となる。さらに、比較的単純な構造とすることもできるため、構造上の制約を少なくできる。
【００２４】
請求項９の発明に係る弾球遊技機によると、第１の誘導駆動部材又は第２の誘導駆動部材と駆動力伝達手段との間には、駆動力伝達手段に連動して第１の誘導駆動部材又は第２の誘導駆動部材を駆動させる連結部材が設けられ、連結部材には係合部が備えられると共に駆動力伝達手段には係合部と係合する被係合部が備えられるため、第１の誘導駆動部材又は第２の誘導駆動部材と駆動力伝達手段とを比較的簡単な構造により連動させて駆動させることができる。
【００２５】
請求項１０の発明に係る弾球遊技機によると、駆動力伝達手段は被係合部を複数備え、切換設定手段は連結部材の係合部の係合位置を、駆動力伝達手段に備えられた複数の被係合部のいずれかを選択して係合させるものであるから、第１のタイミングと第２のタイミングとの切換設定を比較的簡単な構造により行うことができる。
【００２６】
請求項１１の発明に係る弾球遊技機によると、第１の誘導駆動部材及び第２の誘導駆動部材は各々異なる駆動手段により駆動されるため、第１の誘導駆動部材及び第２の誘導駆動部材をそれぞれ独立した駆動として制御することができる。
【発明を実施するための最良の形態】
【００２７】
以下添付の図面に従ってこの発明を詳細に説明する。図１は本発明の一実施例に係る遊技機全体の正面図、図２は画像表示装置の正面図、図３は図２のＸ−Ｘ線における上面図、図４は図２のＹ―Ｙ線の位置で切断した状態の断面図、図５は画像表示装置の主要部正面図、図６は駆動力伝達手段及び連結部材の斜視図、図７は誘導駆動部材のタイミングの切換設定時の前半を表す主要部断面図、図８は誘導駆動部材のタイミングの切換設定時の後半を表す主要部断面図、図９は第１のタイミングのときの画像表示装置の主要部正面図、図１０は第１のタイミングの場合の初期設定時における第１の誘導駆動部材及び連結部材の正面図、側面図及び裏面図、図１１は第１のタイミングのときの遊技球が第２の球出口へと運ばれる状態を表す主要部正面図、図１２は遊技球が第１の誘導路あるいは第２の誘導路へ誘導される時の遊技球の転動状態を表す主要部斜視図、図１３は第２のタイミングのときの画像表示装置の主要部正面図、図１４は第２のタイミングの場合の初期設定時における第１の誘導駆動部材及び連結部材の正面図、側面図及び裏面図、図１５は第２のタイミングのときに遊技球が第１の球出口から排出される状態を表す主要部正面図、図１６は球出口及び誘導駆動部材の他の実施例を表す上面図、図１７は図１６の実施例における遊技球の転動状態を表す主要部斜視図、図１８は駆動手段の他の実施例を示す構造断面図、図１９は図１８の実施例におけるシステム制御を簡略に示すブロック図である。
【００２８】
図１に示す弾球遊技機１は、枠体２の内側に遊技盤３が着脱交換可能に収容されており、その遊技盤３に遊技球の外側誘導レール４及び内側誘導レール５が略円形に立設され、遊技盤３の前記外側誘導レール４と内側誘導レール５によって囲まれ遊技球が打ち込まれる遊技領域６の中心線上にその上部から下部に向かって順に画像表示装置９、前記遊技領域６を流下する遊技球が入賞可能とされる普通電動役物である始動入賞口１０、特別電動役物である大入賞口１５、アウト口（排出口とも称される。）１７が配設され、また上方両側にはランプ風車１８ａ，１８ｂ、その下方に普通図柄変動開始用左ゲート１９と普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。
【００２９】
また、前記枠体２の前面側には、払い出された遊技球を受け、遊技者の発射操作に応じて遊技球を遊技盤３の遊技領域６に向けて発射する発射装置ＨＤ及び当該発射装置ＨＤに遊技球を供給する上側遊技球貯留皿３１、前記上側遊技球貯留皿３１の飽和時に遊技球を受けるための下側遊技球貯留皿３２、遊技状態を報知するランプ表示器３３，３４、音声や効果音を発して遊技状態を遊技者に報知するスピーカ８がそれぞれ組み付けられている。
【００３０】
図中の画像表示装置９は、液晶表示盤（ドットマトリックス表示器）等の画像表示部からなる図柄表示装置であり、図示はしないが特別図柄及び普通図柄が表示される。前記図柄表示装置を構成する画像表示部は、前記のような液晶表示盤に限られるものではなく、ＬＥＤ、ＥＬ、ＣＲＴやその他発光体で構成されていてもよい。前記画像表示装置９は、実施例では、始動入賞口１０（入賞装置）の上方に設けられている。
【００３１】
本発明の画像表示装置９には、図２の拡大図に図示するように、前記液晶表示盤等の画像表示部の下方に、遊技球Ｐを入賞装置側（入賞装置付近）に排出する球出口５０，５１，５２，５０Ａ，５２Ａと前記球出口５０，５１，５２，５０Ａ，５２Ａへ遊技球Ｐを導く誘導路６０，６１，６２，６０Ａ，６２Ａが形成されている。球出口５０，５１，５２，５０Ａ，５２Ａや誘導路６０，６１，６２，６０Ａ，６２Ａは少なくとも遊技球１個分が通過可能な大きさに構成されている。図の符号７０，８０は、後述する誘導駆動部材、５３，５３Ａは球入口、図の点線で示した６５，６５Ａは画像表示装置９の枠体内部に形成された内部球通路、６６は上段球通路である。
【００３２】
図３は、前記画像表示装置９をＸ−Ｘ線の位置から見た上面図である。遊技盤３の前面側には、第１の球出口５０，５０Ａ、第２の球出口５１及び第３の球出口５２，５２Ａが構成されるとともに、前記第１の球出口５０，５０Ａへ遊技球Ｐを導く第１の誘導路６０，６０Ａ、前記第２の球出口５１へ遊技球Ｐを導く第２の誘導路６１及び第３の球出口５２，５２Ａに遊技球Ｐを誘導する第３の誘導路６２，６２Ａが構成されている。また、第１の誘導路６０，６０Ａ手前側、すなわち、この実施例では第３の誘導路６２，６２Ａと第１の誘導路６０，６０Ａとの間に第１の誘導駆動部材７０，７０Ａが設けられ、第１の誘導路６０，６０Ａと第２の誘導路６１との間には第２の誘導駆動部材８０，８０Ａが設けられている。前記した各誘導路６０，６１，６２，６０Ａ，６２Ａの上側には、上段球通路６６が形成されており、球入口５３（前出の図２に図示）から入球された遊技球Ｐが、内部球通路６５を通過して当該上段球通路６６に流下し、上段球通路６６上を転動した後に、図３の実線の矢印で表すように第１の誘導駆動部材７０の手前側、この実施例では第３の誘導路６２に流下可能に構成されている。また、前記上段球通路６６の中央には、開口部６７が形成され、前記上段球通路６６上を転動している遊技球が第３の誘導路６２に流下せずに開口部６７に流下する場合がある。図３の点線の矢印で表すように、当該開口部６７から入球した遊技球Ｐは画像表示装置９内に設けられた開口部球通路６８を通過し、第２の球出口５１に誘導されるように構成されている。図示のとおり、遊技球Ｐは前記第１の球出口５０、第２の球出口５１及び第３の球出口５２から遊技領域６へ流下されるように構成されている。とりわけ、図１及び図２から理解されるように、第２の球出口５１が始動入賞口１０のほぼ真上に位置するように構成されているため、第２の球出口５１から遊技領域６へ流下する遊技球Ｐは第１の球出口５０から遊技領域６へ流下する遊技球Ｐよりも入賞装置（始動入賞口１０）に入賞する可能性が高くなるようになっている。一方、遊技盤３の背面側には、駆動手段であるモーター９０が設置されている。図の符号１００はギアボックス、５５は遊技球を第１の誘導駆動部材の手前側、すなわち第３の誘導路に流下させ易くするための板部材である。
【００３３】
図４は、図２のＹ―Ｙ線の位置で切断した状態の断面図である。遊技盤３の前面側には前記第１の球出口５０，５０Ａ、第２の球出口５１、第３の球出口５２，５２Ａ、第１の誘導路６０，６０Ａ、第２の誘導路６１及び第３の誘導路６２，６２Ａ、第１の誘導駆動部材７０，７０Ａ及び第２の誘導駆動部材８０，８０Ａが形成されており、遊技盤１の枠体２内部及び背面側にはギアボックス１００が、さらに背面側にはモーター９０（駆動手段）が形成されている。モーター９０としては、パルスモーター、超音波モーター等の適宜のモーターを使用することができる。前記ギアボックス１００の内部には、前記モーター９０の駆動力を前記第１の誘導駆動部材７０，７０Ａ及び第２の誘導駆動部材８０，８０Ａに伝達する複数のギア（駆動力伝達手段）が備えられている。
【００３４】
前記駆動力伝達手段は、実施例では、第１ギア１０１，第２ギア１０２，第３ギア１０３，第４ギア１０４，第５ギア１０５，第６ギア１０６，第７ギア１０７，第８ギア１０８の８つのギアからなる。図から理解されるように、前記第１ギア１０１が軸部１０９を介して前記モーター９０と結合し、第１ギア１０１と第２ギア１０２、第２ギア１０２と第３ギア１０３、第３ギア１０３と第４ギア１０４がそれぞれ噛み合うような構成となっている。さらに、前記第４ギア１０４と第１の誘導駆動部材７０との間及び前記第２ギア１０２と第２の誘導駆動部材８０との間には、当該駆動力伝達手段に連動して前記第１の誘導駆動部材７０及び第２の誘導駆動部材８０を駆動させる連結部材１２０，１２１がそれぞれ設けられている。前記第４ギア１０４と第１の誘導駆動部材７０との間に設けられた連結部材１２０は、第１の誘導駆動部材７０と結合する軸部１２２と、第４ギア１０４と係合する連結部１２３とからなる。
【００３５】
上記の構成により、第１の誘導駆動部材７０及び第２の誘導駆動部材８０は次のように駆動する。前記モーター９０の駆動力がモーター９０と軸部１０９を介して結合する第１ギア１０１に回転駆動として伝達され、続いて第１ギア１０１と噛み合う第２ギア１０２が回転駆動し、第３ギア１０３、第４ギア１０４も同様に回転駆動する。このとき、前記第２ギア１０２の回転駆動が連結部材１２１を介して第２の誘導駆動部材８０へと伝達され、第２の誘導駆動部材８０が遊技盤３前面側から見て右回りに回転駆動する（図５参照）。前記第４ギア１０４の回転駆動も同様に連結部材１２０を介して第１の誘導駆動部材７０へと伝達され、第１の誘導駆動部材７０が遊技盤３前面側から見て右回りに回転駆動する（図５参照）。この例においては、第１の誘導駆動部材７０及び第２の誘導駆動部材８０は一の駆動手段であるモーター９０により共に駆動される。なお、図においてモーター９０より左側半分を説明したが、右側半分の第５ギア１０５、第６ギア１０６、第７ギア１０７、第８ギア１０８、第１の誘導駆動部材７０Ａ、第２の誘導駆動部材８０Ａ及び連結部材１２０Ａ，１２１Ａにおいても、第１ギア１０１から第５ギア１０５にモーター９０の駆動力が伝達され第１の誘導駆動部材７０Ａ及び第２の誘導駆動部材８０Ａの回転が左回りとなるように構成されている以外は、既に述べた左側と同様の構成であり、同様の作用を有する。
【００３６】
図５は画像表示装置９の左側半分に形成された球出口５０，５１，５２、誘導路６０，６１，６２及び誘導駆動部材７０，８０を表す正面図である。前記第１の誘導駆動部材７０及び第２の誘導駆動部材８０は、実施例では円柱形状からなる回転駆動体で、前述した駆動手段（モーター９０）による駆動力により、共に電気的に常時駆動されており図５の矢印で表すように右回りに同じ回転速度で回転駆動されている。前記第１の誘導駆動部材７０は、第３の誘導路に導かれた遊技球が第３の球出口から排出される前に、当該遊技球を第１の球出口５０へ導く第１の誘導路６０へ誘導可能とする誘導可能状態と、当該誘導を不可能とする誘導不可能状態との間で設定間隔毎に変化するように構成されている。実施例では、第１の誘導駆動部材７０の内部には、遊技球を吸着可能な吸着部材として略円弧形状よりなる磁石７５が設けられており、当該第１の誘導駆動部材７０の表面付近に位置するように設けられている。図５では、第１の誘導駆動部材７０に内在する磁石の位置を模式的に表しており、第１の誘導駆動部材７０の表面付近には、吸着部材が設けられた箇所と設けられていない箇所があり、吸着部材が所定の間隔で複数個（実施例では２個）設けられている。この磁石７５の位置に対応して、遊技球を第１の誘導路６０へ誘導可能とする誘導可能状態と、誘導不可能とする誘導不可能状態とに設定間隔毎に変化するようになっている。すなわち、遊技球と磁石７５が吸着（磁着）する場合（遊技球が磁石７５と磁着可能な位置にある場合）には、前記第１の誘導駆動部材７０は、前記磁石７５の吸着力により遊技球を吸着した状態で回転駆動して、遊技球を第１の誘導路６０まで誘導することができる。一方、遊技球と磁石７５が吸着（磁着）しない場合（遊技球が磁石７５と磁着不可能な位置にある場合）には、前記第１の誘導駆動部材７０は、第１の誘導路６０に遊技球を誘導することが不可能となり、遊技球は第３の球出口５２から遊技領域６に排出される。
【００３７】
前記第２の誘導駆動部材８０も、第１の誘導駆動部材７０により前記第１の誘導路６０に誘導された遊技球を前記第２の誘導路６１へ誘導可能とする誘導可能状態と不可能とする誘導不可能状態とに設定間隔毎に変化するように構成されている。前述の第１の誘導駆動部材７０の場合と同様に、第２の誘導駆動部材８０の内部には吸着部材として所定の間隔で磁石８５が設けられており、遊技球を誘導可能とする誘導可能状態と不可能とする誘導不可能状態とに変化する構成は同様であるが、第２の誘導駆動部材８０に内在する磁石８５は、第１の誘導駆動部材７０に内在する磁石７５と数や形状が異なり、本実施例では第１の誘導駆動部材７０に内在する磁石７５よりも長い円弧形状として構成されている。
【００３８】
前記第１の誘導駆動部材７０が誘導可能状態となるときと第２の誘導駆動部材８０が誘導可能状態となるときのタイミングとしては、第１の誘導駆動部材７０により前記第１の誘導路６０に誘導された遊技球を前記第１の誘導路６０から前記第１の球出口５０に到達する前に前記第２の誘導駆動部材８０により前記第２の誘導路６１へ誘導することが可能となる第１のタイミングと、第１の誘導駆動部材７０により前記第１の誘導路６０に誘導された遊技球を前記第１の誘導路６０から前記第１の球出口５０に到達する前に前記第２の誘導駆動部材８０により前記第２の誘導路６１へ誘導することが困難あるいは不可能となる第２のタイミングがある。これらのタイミングを後述する切換設定手段によって切換設定することにより、第１の球出口５０及び第２の球出口５１から入賞装置（始動入賞口１０）側に排出される遊技球の割合を任意に調整することができ、入賞装置に入賞する遊技球の割合に変化を持たせることができる。以下、本発明の切換設定手段について説明する。
【００３９】
図６は、前記第１の誘導駆動部材７０と連結する連結部材１２０と駆動力伝達手段である第４ギア１０４の拡大図である。前記連結部材１２０の連結部１２３には第４ギア１０４の方向に突出する突部形状よりなる係合部１２４が形成されており、第４ギア１０４には前記係合部１２４の形状に対応した凹部形状よりなる被係合部１１０ａ，１１０ｂが形成されている。前記係合部１２４と被係合部１１０ａ，１１０ｂは本発明の切換設定手段に相当する。また、切換設定手段は、被係合部１１０ａ，１１０ｂに限らず複数段階に切換設定可能に構成されている。被係合部は駆動力伝達手段に複数設けることが可能であり、前記連結部材１２０の係合部１２４の係合位置を、複数の被係合部のいずれかを選択して係合させることができる。実施例の第４ギア１０４には第１被係合部１１０ａと当該第１被係合部１１０ａから軸部を中心に図の矢印の方向に回転した位置にある第２被係合部１１０ｂとを有しており、前記係合部１２４は第１被係合部１１０ａ、もしくは第２被係合部１１０ｂの片方に係合される。なお、図示はしないが、駆動力伝達手段や連結部材１２０に貫通孔を適宜設けることにより、被係合部１１０ａ，１１０ｂの何れかと係合部１２４が係合された際に係着位置の確認を可能とすることができる。
【００４０】
図７及び図８の主要部断面図を用いて、前記連結部材１２０の係合部１２４の係合位置を変更する過程を説明する。図７（ａ）に図示するように、連結部材１２０の軸部１２２にはバネ等からなる弾性部材１２６が当該軸部１２２を覆うように固定されている。このときは、係合部１２４は第４ギア１０４の第１被係合部１１０ａに係合している。そして、連結部材１２０の軸部１２２と結合する第１の誘導駆動部材７０を遊技盤３の前面側に引き出すことにより、図７（ｂ）に図示するように、前記係合部１２４と第１被係合部１１０ａの係合状態が解除される。その後、前記第１の誘導駆動部材７０を左又は右回りに（図の例では右回りに）回転させて図８（ａ）に図示するように、前記係合部１２４を第４ギア１０４の第２被係合部１１０ｂに対応する位置に配置する。このとき、前記した第１の誘導駆動部材７０に内在する磁石７５（吸着部材）の位置も回転移動する。係合部１２４が当該位置に配置された後に第１の誘導駆動部材７０の引き出した状態を解放すれば、弾性部材１２６の弾力によって第１の誘導駆動部材７０が第４ギア１０４側に引っ張られ、図８（ｂ）に図示するように、係合部１２４が前記第２被係合部１１０ｂに係合可能となる。
【００４１】
前述のように切換設定手段である係合部１２４と被係合部１１０ａ，１１０ｂの係合を切り換えることにより、第１の誘導駆動部材７０の回転開始時における当該第１の誘導駆動部材７０に内在する磁石７５の位置が切換えられ、第１の誘導駆動部材７０が誘導可能状態となるときと第２の誘導駆動部材８０が誘導可能状態となるときのタイミングが切換設定される。当該タイミングが任意に切り換えられることで、第２の誘導駆動部材８０により第２の誘導路６１へ遊技球が誘導され易い状態と誘導され難い状態に切り換えることが可能となり、第１の球出口５０及び第２の球出口５１から入賞装置側に排出される遊技球を調整することができる。
【００４２】
第１の誘導駆動部材７０が誘導可能状態となるときと第２の誘導駆動部材８０が誘導可能状態となるときのタイミングが第１のタイミングである場合における遊技球の転動について説明する。モーター９０の電源が入ると、前記第１の誘導駆動部材７０及び第２の誘導駆動部材８０は同じ速度で右回りに回転し始める。遊技球は、球入口５３（前出の図２に図示）から入球し、内部球通路６５を通過して上段球通路６６上を転動した後に開口部６７に流下しなかった遊技球は、第１の誘導駆動部材７０の手前側、この実施例では第３の誘導路６２に流下する。このとき、図示はしないが、遊技球が第１の誘導駆動部材７０の磁石７５に吸着された場合は、第３の誘導路６２から第１の誘導駆動部材７０の回転に伴って第１の誘導路６０に誘導される。一方、遊技球が第１の誘導駆動部材７０の磁石７５に吸着されなかった場合には、第３の球出口５２から遊技領域６に排出される。
【００４３】
図９は、第１のタイミングの場合における第１の誘導駆動部材７０及び第２の誘導駆動部材８０の状態を表す正面図である。図から理解されるように、第１の誘導駆動部材７０及び第２の誘導駆動部材８０は、遊技球Ｐが第３の誘導路６２から第１の誘導駆動部材７０の回転に伴って第１の誘導路６０に誘導されたときに、第２の誘導駆動部材８０に内在する磁石８５の先端部８５ａが第１の誘導路６０に現れるタイミングで共に回転駆動している。両誘導駆動部材７０，８０がこのタイミングで回転駆動することにより、遊技球Ｐが第１の誘導路６０から第１の球出口５０へと誘導される間に第２の誘導駆動部材８０に内在する磁石８５の先端部８５ａが上昇し、当該磁石８５と遊技球Ｐが吸着し易い状態となる。
【００４４】
図１０は、初期設定時における第１の誘導駆動部材７０及び連結部材１２０の正面図（ａ）、側面図（ｂ）及び裏面図（ｃ）を示す。前述した連結部材１２０の係合部１２４は駆動力伝達手段である第４ギア１０４の第１被係合部１１０ａに係合される。このように、第１の誘導駆動部材７０及び第２の誘導駆動部材８０の回転開始時に、予め第１の誘導駆動部材７０に内在する磁石７５の位置を設定しておくことにより、第１のタイミングを構成することができる。
【００４５】
図１１は第１のタイミングが構成されている場合の遊技球の動きを図示するものである。前記第１の誘導駆動部材７０により第１の誘導路６０に誘導された遊技球Ｐは、図１１（ａ）に図示するように、第１の誘導路６０から第１の球出口５０に到達する前に、第２の誘導駆動部材８０に内在する磁石８５の吸着力により吸着され、図１１（ｂ）及び図１１（ｃ）に図示するように第２の誘導駆動部材８０により第２の誘導路６１へ誘導され、当該第２の誘導路６１から第２の球出口５１へ誘導されて入賞装置（始動入賞口１０）側に排出される。この第１のタイミングの場合における遊技球Ｐの一連の転動は、図１２の斜視図の実線の矢印からも理解される。
【００４６】
次に、第１の誘導駆動部材７０が誘導可能状態となるときと第２の誘導駆動部材８０が誘導可能状態となるときのタイミングが第２のタイミングである場合における遊技球Ｐの転動について説明する。図１３は、第２のタイミングの場合における第１の誘導駆動部材７０及び第２の誘導駆動部材８０の状態を表す正面図である。図から理解されるように、第１の誘導駆動部材７０及び第２の誘導駆動部材８０は、遊技球Ｐが第３の誘導路６２から第１の誘導駆動部材７０の回転に伴って第１の誘導路６０に誘導されたときに、第２の誘導駆動部材８０に内在する磁石８５の中央部分８５ｂが第１の誘導路６０を通過するタイミングで共に回転駆動している。両誘導駆動部材７０，８０がこのタイミングで回転駆動することにより、第２の誘導駆動部材８０に内在する磁石８５と遊技球Ｐとの吸着可能な時間が前記した第１のタイミングの場合よりも短くなり、第１の誘導路６０から第１の球出口５０に到達する前に第２の誘導駆動部材８０により第２の誘導路６１へ誘導することが第１のタイミングよりも困難あるいは不可能となる。
【００４７】
図１４は、第２のタイミングの場合の初期設定時における第１の誘導駆動部材７０及び連結部材１２０の正面図（ａ）、側面図（ｂ）及び裏面図（ｃ）であり、前述した連結部材１２０の係合部１２４は、駆動力伝達手段である第４ギア１０４の第２被係合部１１０ｂに係合される。図１４の正面図（ａ）から理解されるように、第１の誘導駆動部材７０の磁石７５の位置は図１０の正面図（ａ）の位置から右回りに回転した位置にある。このように、第１の誘導駆動部材７０及び第２の誘導駆動部材８０の回転開始時に、予め第１の誘導駆動部材７０に内在する磁石７５の位置を切換えておくことにより、第１のタイミングから第２のタイミングへと切換設定することができる。
【００４８】
図１５（ａ）に図示するように、遊技球Ｐは、第１の誘導路６０から第１の球出口５０に到達する前に、前記第２の誘導駆動部材８０の磁石８５によって引き寄せられつつある。しかしながら、前述の図１１（ａ）の場合と異なり、当該磁石８５と遊技球Ｐとの吸着は不十分である。このため、前記第２の誘導駆動部材８０の回転駆動と遊技球Ｐ自身の自重により、前記磁石８５の有する磁力における吸着力はふり切られる。その結果、図１５（ｂ）に示すとおり、遊技球Ｐは、第１の誘導路６０にとり残され、図１５（ｃ）のとおり、第１の球出口５０へと誘導されて入賞装置（始動入賞口１０）側に排出される。この第２のタイミングの場合における遊技球Ｐの一連の転動は、図１２の斜視図の点線の矢印からも理解される。
【００４９】
図１６は、請求項２の発明として規定する弾球遊技機１の画像表示装置９の部分上面図であり、球出口及び誘導駆動部材の他の実施例を表している。前述の実施例とは、誘導路が設けられていない点が異なり、遊技球が誘導駆動部材７０，８０，７０Ａ，８０Ａから直接に球出口５０，５１，５２，５０Ａ，５２Ａに流下するようになっている。第１の球出口５０，５０Ａ、第２の球出口５１、第１の誘導駆動部材７０，７０Ａ、第２の誘導駆動部材８０，８０Ａは前述の実施例と同様の構成からなる。上段球通路６６に流下した遊技球は、図１６の実線の矢印で表すように、第１の誘導駆動部材７０の手前側に流下し、直接に第１の誘導駆動部材７０に吸着する場合がある。第１の誘導駆動部材７０が誘導可能状態となるときと第２の誘導駆動部材８０が誘導可能状態となるときのタイミングが第１のタイミングである場合には、図１７の実線の矢印で図示するように、第１の誘導駆動部材７０により第１の球出口５０に誘導された遊技球Ｐは、第１の球出口５０から排出される前に第２の誘導駆動部材８０に直接吸着され易く、当該第２の誘導駆動部材８０により第２の球出口５１へ誘導される場合がある。一方、第１の誘導駆動部材７０が誘導可能状態となるときと第２の誘導駆動部材８０が誘導可能状態となるときのタイミングが第２のタイミングである場合には、図１７の点線の矢印で図示するように、第１の誘導駆動部材７０により第１の球出口５０に誘導された遊技球Ｐは、第１の球出口５０から排出される前に第２の誘導駆動部材８０により第２の球出口５１へ誘導することが第１のタイミングよりも困難あるいは不可能となり、当該第２の誘導駆動部材８０に吸着されずに第１の球出口５０からそのまま入賞装置側へ排出される場合がある。図１６において図３と同一の符号は同一の構成からなり、図１７において図１２と同一の符号は同一の構成からなる。
【００５０】
図１８は、駆動手段の他の実施例を表しており、第１の誘導駆動部材７０，７０Ａ及び第２の誘導駆動部材８０，８０Ａが各々異なる駆動手段によって駆動されている例である。第１の誘導駆動部材７０，７０Ａ及び第２の誘導駆動部材８０，８０Ａがそれぞれ異なるモーター９０，９０Ａ，９０Ｂによって駆動されていると、各モーター９０，９０Ａ，９０Ｂによる駆動速度及び駆動開始時を異なるように設定することができ、第１の誘導駆動部材７０，７０Ａと第２の誘導駆動部材８０，８０Ａの誘導タイミングを多様に変化させることができる。図示においては、第４ギア１０４と連結部１２３及び第８ギア１０８と連結部１２３Ａが係着され、前述と同様の構成から切換設定が行われる。なお、第１の誘導駆動部材７０，７０Ａ、第２の誘導駆動部材８０，８０Ａの位置として例えば原点位置を検出するセンサーを設けるとともに、初期設定（第１の誘導駆動部材７０，７０Ａ、第２の誘導駆動部材８０，８０Ａの回転開始時の位置）を変更する設定スイッチを設け、当該設定スイッチにより、第１の誘導駆動部材７０，７０Ａ或いは第２の誘導駆動部材８０，８０Ａの少なくとも一方の位置を原点位置から適宜の角度に回転させた後、両誘導駆動部材を駆動させてもよい。図１９に図示するように、モーター９０，９０Ａ，９０Ｂは主制御回路により制御され、設定スイッチによる切換設定を受けて、各モーター制御回路の制御を介して適式に制御される。図示においては、各モーター９０，９０Ａ，９０Ｂ毎に、当該モーター制御回路を備える構成であるが、一の制御回路により、３つのモーターの制御を行うこともできる。図１８において、前出の図４と同一の符号は同一の構成を表す。
【００５１】
本発明は、上記実施例に限定されるものではなく、発明の趣旨を逸脱しない範囲において構成の一部を適宜に変更して実施することができる。例えば、上記実施例の吸着部材（磁石）の数及び吸着力等を変更してもよい。また、吸着部材としては磁石に限定されない。さらに、上記実施例では、第１の誘導駆動部材及び第２の誘導駆動部材は常時回転駆動する回転駆動体により構成されているが、所定のタイミングで遊技球を誘導することが可能である限り、回転以外の駆動態様（円弧状運動）とする構成に変更してもよい。また、第１の誘導駆動部材と第２の誘導駆動部材のタイミングは第１・第２に限らず複数のタイミングを備えてもよいとする。他に、遊技球を受けることができる球受け凹部を駆動体に設ける構成としてもよい。加えて、切換設定手段である係合部及び被係合部はどちらが突部形状であってもよく、切換設定が可能であれば、突部形状と凹部形状以外の形状であってもよい。
【図面の簡単な説明】
【００５２】
【図１】本発明の一実施例に係る遊技機全体の正面図である。
【図２】画像表示装置の正面図である。
【図３】図２のＸ−Ｘ線における上面図である。
【図４】図２のＹ―Ｙ線の位置で切断した状態の断面図である。
【図５】画像表示装置の主要部正面図である。
【図６】駆動力伝達手段及び連結部材の斜視図である。
【図７】誘導駆動部材のタイミングの切換設定時の前半を表す主要部断面図である。
【図８】誘導駆動部材のタイミングの切換設定時の後半を表す主要部断面図である。
【図９】第１のタイミングの時の画像表示装置の主要部正面図である。
【図１０】第１のタイミングの場合の初期設定時における第１の誘導駆動部材及び連結部材の正面図、側面図及び裏面図である。
【図１１】第１のタイミングのときの遊技球が第２の球出口へと運ばれる状態を表す主要部正面図である。
【図１２】遊技球が第１の誘導路あるいは第２の誘導路へ誘導される時の遊技球の転動状態を表す主要部斜視図である。
【図１３】第２のタイミングのときの画像表示装置の主要部正面図である。
【図１４】第２のタイミングの場合の初期設定時における第１の誘導駆動部材及び連結部材の正面図、側面図及び裏面図である。
【図１５】第２のタイミングのときに遊技球が第１の球出口から排出される状態を表す主要部正面図である。
【図１６】球出口及び誘導駆動部材の他の実施例を表す上面図である。
【図１７】図１６の実施例における遊技球の転動状態を表す主要部斜視図である。
【図１８】駆動手段の他の実施例を示す構造断面図である。
【図１９】図１８の実施例におけるシステム制御を簡略に示すブロック図である。
【図２０】従来の画像表示装置の斜視図である。
【符号の説明】
【００５３】
１  弾球遊技機
３  遊技盤
６  遊技領域
１０  始動入賞口
５０  第１の球出口
５１  第２の球出口
５２  第３の球出口
６０  第１の誘導路
６１  第２の誘導路
６２  第３の誘導路
７０  第１の誘導駆動部材
７５，８５  吸着部材（磁石）
８０  第２の誘導駆動部材
９０，９０Ａ，９０Ｂ  モーター
１０１，１０２，１０３，１０４，１０５，１０６，１０７，１０８  ギア
１１０ａ，１１０ｂ  被係合部
１２０，１２１  連結部材
１２４  係合部
【図１】
2005185653.tif 000003
【図２】
2005185653.tif 000004
【図３】
2005185653.tif 000005
【図４】
2005185653.tif 000006
【図５】
2005185653.tif 000007
【図６】
2005185653.tif 000008
【図７】
2005185653.tif 000009
【図８】
2005185653.tif 000010
【図９】
2005185653.tif 000011
【図１０】
2005185653.tif 000012
【図１１】
2005185653.tif 000013
【図１２】
2005185653.tif 000014
【図１３】
2005185653.tif 000015
【図１４】
2005185653.tif 000016
【図１５】
2005185653.tif 000017
【図１６】
2005185653.tif 000018
【図１７】
2005185653.tif 000019
【図１８】
2005185653.tif 000020
【図１９】
2005185653.tif 000021
【図２０】
2005185653.tif 000022